(57)【要約】【課題】原稿の送信操作から送信完了までの時間を短縮することができるファクシミリ装置の提供を目的とする。【解決手段】本発明に係るファクシミリ装置は、処理の開始指示を受け付ける（Ｓ１３）と、読取／符号化処理（Ｓ１４）と、分割処理（Ｓ２１）、メール生成処理（Ｓ２４）、及びメール送信処理（Ｓ２６）とを並列処理する。従って、読取／符号化処理と並行して、メール送信のための処理を行うことができるため、原稿の読み取りの開始から画像データの送信終了までに要する時間を短縮することができる。【選択図】        図４
2004194005.tif 000002
【特許請求の範囲】
【請求項１】
原稿を読み取り、読み取った画像データを電子メールで外部装置へ送信するファクシミリ装置において、前記画像データのデータ量が所定量を超過する都度、原稿の読み取りと並行して、前記画像データを分割する手段と、分割された画像データを各別の電子メールで送信する送信手段とを備えることを特徴とするファクシミリ装置。
【請求項２】
前記送信手段は、原稿の読み取りが開始された時に、外部装置との通信を確立する手段を備えることを特徴とする請求項１に記載のファクシミリ装置。
【請求項３】
前記送信手段は、分割されたすべての画像データを送信するまで、外部装置との接続を維持する手段を備えることを特徴とする請求項１又は請求項２に記載のファクシミリ装置。
【請求項４】
前記電子メールを記憶する記憶手段と、外部装置が前記電子メールを受信したか否かの情報を受信する手段と、受信した情報に基づいて外部装置が前記電子メールを受信したと判断した場合に、前記電子メールを前記記憶手段から消去する手段とを備えることを特徴とする請求項１乃至請求項３のいずれかに記載のファクシミリ装置。
【発明の詳細な説明】
【０００１】
【発明の属する技術分野】
本発明は、ファクシミリ装置に関し、より具体的にはインターネット、ローカルエリアネットワーク（ＬＡＮ（Local Area Network））等の通信ネットワークを介して電子メールとして画像データを送信可能としたいわゆるインターネットファクシミリ装置に関する。
【０００２】
【従来の技術】
近年、独自に構築されてきた種々のネットワークを相互に接続した大規模ネットワーク（以下、インターネット）が種々の分野で利用されている。インターネットは、電話網等と異なり、インターネットに接続するまでの費用を負担すれば、日本国内だけでなく外国のコンピュータ等と通信することができる。そこで、画像データを添付した電子メールをインターネットを介して配信することで、通信費用の削減を図ったインターネットファクシミリ装置（以下、ファクシミリ装置）が実用化されている。
【０００３】
ところで、電子メールを送信する場合には種々の制限があり、そのひとつに、電子メールのデータサイズの制限がある。従って、送信原稿の画像データが大きく、電子メールが許容データサイズを超過した場合には、たとえ電子メールを送信したとしても、その電子メールの転送が拒否されるため、外部（相手先）装置に受信されることはない。
【０００４】
そこで、送信原稿の画像データのデータ量が１メール分として定められているデータ量を超過する場合は、その画像データを分割して複数の電子メールで送信することにより、画像データのデータ量が大きい場合でも電子メールで送信できるファクシミリ装置が提案されている（例えば、特許文献１参照。）。
【０００５】
【特許文献１】
特開平１０−３２２５０１号公報  （第１−６頁）
【０００６】
【発明が解決しようとする課題】
しかしながら、前述したファクシミリ装置は、全ての原稿を読み取って画像データに符号化する処理が完了するまで、符号化された画像データを分割する処理と分割された画像データを電子メールにて送信する処理とを待機させねばならず、原稿の読み取りの開始から画像データの送信完了までに時間を要するという問題があった。
【０００７】
本発明は斯かる事情に鑑みてなされたものであり、原稿を読み取り、読み取った画像データのデータ量が所定量を超過する都度、原稿の読み取りと並行して、読み取った画像データを分割し、分割された各画像データを電子メールで送信することにより、原稿を読み取る処理と、各画像データを電子メールに添付して送信する処理とを並列処理でき、原稿の送信操作から送信完了までの時間を短縮することができるファクシミリ装置の提供を目的とする。
【０００８】
また本発明は、原稿の読み取りが開始された時に、外部装置との通信を確立することにより、原稿を読み取る処理と、外部装置との通信を確立する処理とを並列処理でき、また、電子メールがすべて送信されるまで、外部装置との接続を維持することにより、各電子メールを送信する都度、外部装置との通信を確立する処理を不要とするファクシミリ装置の提供を目的とする。
【０００９】
更に本発明は、記憶手段に電子メールを記憶しておき、外部装置が電子メールを受信したと判断した場合には、その電子メールを記憶手段から消去することにより、記憶手段の空容量を増やすことができるファクシミリ装置の提供を目的とする。
【００１０】
【課題を解決するための手段】
第１発明に係るファクシミリ装置は、原稿を読み取り、読み取った画像データを電子メールで外部装置へ送信するファクシミリ装置において、前記画像データのデータ量が所定量を超過する都度、原稿の読み取りと並行して、前記画像データを分割する手段と、分割された画像データを各別の電子メールで送信する送信手段とを備えることを特徴とする。
【００１１】
第２発明に係るファクシミリ装置は、前記送信手段は、原稿の読み取りが開始された時に、外部装置との通信を確立する手段を備えることを特徴とする。
【００１２】
第３発明に係るファクシミリ装置は、前記送信手段は、分割されたすべての画像データを送信するまで、外部装置との接続を維持する手段を備えることを特徴とする。
【００１３】
第４発明に係るファクシミリ装置は、前記電子メールを記憶する記憶手段と、外部装置が前記電子メールを受信したか否かの情報を受信する手段と、受信した情報に基づいて外部装置が前記電子メールを受信したと判断した場合に、前記電子メールを前記記憶手段から消去する手段とを備えることを特徴とする。
【００１４】
第１発明に係るファクシミリ装置にあっては、原稿を読み取り、読み取った画像データのデータ量が所定量を超過する都度、原稿の読み取りと並行して、画像データを分割し、分割された各画像データを各別の電子メールで送信する。これにより、画像データのデータ量が大きい場合でも電子メールで送信できるとともに、原稿を読み取る処理と、各画像データを電子メールに添付して送信する処理とを並列処理できる。
【００１５】
第２発明に係るファクシミリ装置にあっては、原稿の読み取りが開始された時に、外部装置との通信を確立する。これにより、原稿を読み取る処理と、外部装置との通信を確立する処理とを並列処理できる。
【００１６】
第３発明に係るファクシミリ装置にあっては、電子メールがすべて送信されるまで外部装置との接続を維持する。これにより、各電子メールを送信する都度、外部装置との通信を確立する処理を不要とする。
【００１７】
第４発明に係るファクシミリ装置にあっては、記憶手段に電子メールを記憶しておき、外部装置が電子メールを受信したか否かの情報を受信し、受信した情報に基づいて、外部装置が電子メールを受信したと判断した場合には、その電子メールを記憶手段から消去する。これにより、外部装置が受信した電子メールを消去し、記憶手段の空容量を増やすことができる。
【００１８】
【発明の実施の形態】
以下、本発明をその実施の形態を示す図面に基づいて詳述する。
【００１９】
（実施の形態１）
図１は、本発明に係るファクシミリ装置が接続された態様の通信ネットワーク構成を示す模式図である。１Ａ，１Ｂ，１Ｃ，１Ｄは、本発明に係るファクシミリ装置（以下、ＩＮＦＡＸ）である。なお、ＩＮＦＡＸ１Ａ，１Ｂ，１Ｃ，１Ｄ（以下、区別が不要な場合にはＩＮＦＡＸ１とすることもある）は、公衆電話回線網（以下、ＰＳＴＮ）を用いた従来からのファクシミリ装置としても利用可能であることは言うまでもないので、図においてＰＳＴＮとの接続の態様は省略している。
【００２０】
ＬＡＮには、ＩＮＦＡＸ１Ａ，１Ｂ、メールサーバ（以下、ＭＳ）３Ａ、パーソナルコンピュータ（以下、ＰＣ）２Ａ等が接続されており、これらの装置（ＩＮＦＡＸ１Ａ，１Ｂ、ＰＣ２Ａ）は、ＭＳ３Ａを介して相互に電子メールによる通信（送信、受信）が可能なように構成されている。また、ＬＡＮはルータ４を介してインターネットＩＮに接続されており、インターネットＩＮにはＬＡＮと同様に、ＩＮＦＡＸ１Ｃ，１Ｄ、ＭＳ３Ｂ、ＰＣ２Ｂ等が接続されており、これらの装置（ＩＮＦＡＸ１Ｃ，１Ｄ、ＰＣ２Ｂ等）は、ＭＳ３Ｂを介して相互に電子メールによる通信が可能なように構成されている。更に、ＬＡＮに接続された各装置とインターネットＩＮと接続された各装置とは、ＭＳ３Ａ，３Ｂ、及びルータ４を介して相互に電子メールによる通信が可能な構成とされている。
【００２１】
図２は、本発明に係るファクシミリ装置の構成を示すブロック図である。本発明に係るファクシミリ装置であるＩＮＦＡＸ１は、ＣＰＵで構成された制御部１０を備えている。制御部１０はバス１１を介して読取部１２、記録部１３、操作部１５、ＬＡＮインターフェイス（以下、ＬＡＮＩＦ）１６、表示部１７、ＲＯＭ１８、ＲＡＭ１９、画像メモリ２０、モデム２１、回線制御部（以下、ＮＣＵ）２２、ハードディスク（以下、ＨＤ）２３、データ変換部２４と接続され、これら各部を制御し、ＲＯＭ１８に予め格納されているコンピュータプログラムに従って種々の機能を実行し、各部と連携して又は単独で本発明における各種の手段（読取／符号化手段，分割手段，メール生成手段，通信接続手段，メール送信手段，メール記憶手段，通信切断手段等）として機能する。
【００２２】
読取部１２は、制御部１０と共に読取／符号化処理を行う読取／符号化手段として動作し、ＣＣＤ等を利用したスキャナで送信すべき原稿を読み取り、図示しないＣＯＤＥＣ等により、例えば白黒２値に変換して符号化された画像データ（符号化データ）を作成して出力し、バス１１を介してＤＲＡＭ等により構成されている画像メモリ２０に記憶させる。この際の符号化方式として、１次元符号化方式であるＭＨ（Modified Huffman），２次元符号化方式であるＭＲ（ModifiedREAD），又はＭＲを一部改良したＭＭＲ（Modified Modified READ）等の符号化方式がファクシミリ通信の規格により定められている。なお、ＣＯＤＥＣ等の符号化部を読取部１２とは別個に設けて符号化を行ってもよいことはいうまでもない。
【００２３】
記録部１３は、電子写真方式等のプリンタ装置であり、他のファクシミリ装置からファクシミリ通信により受信した画像データ、又は通信ネットワークにより受信した画像データをハードコピーとしてプリントアウトして記録する。原稿読み取り時のスキャナ方式としてはＡＤＦ（Automatic Document Feeder）方式，ＦＢＳ（Flat Bet Scanner）方式があるがいずれでもよい。
【００２４】
操作部１５は、ＩＮＦＡＸ１を操作するために必要な文字キー、テンキー、短縮ダイヤルキー、ワンタッチダイヤルキー、各種のファンクションキー等を備え、入力部をも兼ねる形態としておく。なお、後述する表示部１７をタッチパネル方式とすることにより、この操作部１５の各種キーの内の一部又は全部を代用することも可能である。
【００２５】
ＬＡＮＩＦ１６は、ＩＮＦＡＸ１（例えばＩＮＦＡＸ１Ａ）がＬＡＮを介して他のＩＮＦＡＸ１（１Ｂ）、ＰＣ（２Ａ）、ＭＳ（３Ａ）と通信を行うためのインターフェイスであり、制御部１０と共にメール送信処理を行う際の通信接続手段、メール送信手段、及び通信切断手段として動作する。またルータ４を介してインターネットＩＮとも接続され、他のＩＮＦＡＸ１（１Ｃ、１Ｄ）、ＰＣ（２Ｂ）、ＭＳ（３Ｂ）と通信を行うこともできる。
【００２６】
表示部１７は、液晶表示装置（ＬＣＤ）等の表示装置であり、ＩＮＦＡＸ１の動作状態を表示し、さらには、送信すべき原稿の画像データ、受信した画像データ等の表示を行う。
【００２７】
ＲＡＭ１９は、制御部１０によるコンピュータプログラムの実行時に発生する一時的なデータを記憶するもので、例えばＤＲＡＭ、フラッシュメモリ等により構成される。
【００２８】
モデム２１は、ファクシミリ通信が可能なファクシミリモデムにより構成されている。モデム２１にはＮＣＵ２２が直接的に接続されており、ＮＣＵ２２は、ＰＳＴＮに対する接続、又は切断を行い、必要に応じてモデム２１をＰＳＴＮに接続し、ＩＮＦＡＸ１と外部とのファクシミリ装置（電子メールによらない従来型のファクシミリ装置）との間のファクシミリ通信の制御を行う。
【００２９】
データ変換部２４は、制御部１０と共に分割処理を行う分割処理手段として動作し、前述したファクシミリ装置規格に従って符号化された原稿の画像データ（符号化データ）のデータ量を監視し、データ量が所定量を超過する都度、画像データ（符号化データ）を分割し、分割された画像データ（符号化データ）を、例えば、ＴＩＦＦ形式、ＰＤＦ形式の画像フォーマットに変換して電子メールでの送信が可能なデータ構造とする。送信に際して、ＴＩＦＦ形式の画像フォーマットは、例えば、ＭＩＭＥ（Multipurpose Internet Mail Extensions）のｂａｓｅ６４を利用してバイナリデータからテキストデータへバイナリ／テキスト変換（エンコード）される。なお、受信時には、送信時とは逆の変換（デコード）を行う構成とできることは言うまでもない。
【００３０】
また、データ変換部２４は、制御部１０と共にメール生成処理を行うメール生成手段として動作し、電子メール送信に際して、電子メール発信日時、電子メール発信元、電子メール送信先、及び電子メールの付加的情報等の情報を含む電子メールヘッダ（以下、ヘッダ）、並びにテキストデータに変換された画像データ（ＴＩＦＦデータ）を付与して電子メールを生成する。
【００３１】
ＨＤ２３は、大容量のメモリであり、画像データの蓄積、電子メールアドレス、ファクシミリ番号、送信先名称、短縮キー対応ファクシミリ番号、電話帳等の記憶を適宜行う。また、ＨＤ２３は、制御部１０と共にメール記憶処理を行うメール記憶手段として動作し、メール生成処理にて送信された電子メールを記憶するとともに、送信した電子メールを外部装置が受信したか否かの情報を受信し、外部装置が電子メールを受信したと判断した場合、又は、ＨＤ２３に記憶してから所定時間が経過した場合に、ＨＤ２３に記憶した電子メールを消去する。これにより、外部装置が受信した電子メール、即ち記憶しておく必要のない電子メールを消去し、ＨＤ２３の空容量を増やすことができる。
【００３２】
ここで、データ変換部２４にて生成される電子メールの内容について詳述する。図３は、電子メールの内容の一例を示す図である。ヘッダは、”フィールド名”＋”：”＋”フィールド内容”から構成されており、一部のフィールドでは、”；”で区切り、”パラメータ名”＋”＝”＋”パラメータ内容”から構成されるパラメータでより詳しい情報が付与されている。
【００３３】
ヘッダの内、フィールド５１は、ＭＩＭＥで拡張されたフィールドであり、本文がＴＩＦＦ形式のイメージデータであることを示し、そして、”；”で区切ったパラメータ（name=）でファイル名の情報を示す。フィールド５２は、データの変換（バイナリ／テキスト変換）形式がＭＩＭＥ（base64）であることを示す。フィールド５３は、データの配置方法が添付ファイルであることを示し、そして、”；”で区切ったパラメータ（filename=）でファイル名の情報を示す。
【００３４】
そして、空行を挟んで、本文５４に、ＭＩＭＥ（base64）によりバイナリ／テキスト変換されたＴＩＦＦデータが付与されている。
【００３５】
なお、送信した電子メールを外部装置が受信したか否かを判断するには、例えば、図３に示した電子メールのヘッダに”Disposition-Notification-To:（自身のメールアドレス）”のフィールドを追加して電子メールを送信する。そして、受信側は、電子メールを受信した場合に、その旨を示した電子メールを返信するようにしておけばよい。
【００３６】
次に、本発明の実施の形態１に係るファクシミリ装置が行う動作を、フローチャートを用いて説明する。図４は、本発明の実施の形態１に係るファクシミリ装置が行う処理手順を示すフローチャートである。
【００３７】
利用者により、送信すべき原稿がＡＤＦ方式又はＦＢＳ方式用の原稿台にセット（Ｓ１１）され、また、読取部１２の解像度及び符号化方式等の読取／符号化条件と、送信先のメールアドレス、及び一電子メールに添付する画像データのデータ量を規定した所定量等の送信条件とが操作部１５から入力（Ｓ１２）され、更に、処理の開始指示が操作部１５から入力（Ｓ１３）されると、ＩＮＦＡＸ１は、後述する読取／符号化処理と、分割処理、通信接続処理、メール生成処理（画像変換処理及びバイナリ／テキスト変換処理を含む）、メール送信処理、及び通信切断処理とを並列処理する。なお、Ｓ１２は、読取／符号化条件及び送信条件を利用者が夫々入力するのではなく、図５に示すように、読取／符号化条件及び送信条件と関連付けられたニックネーム等の相手先装置の名称をＨＤ２３にテーブルとして登録し、この名称を選択するような形態であってもよい。また、相手先装置とデータを送受信する際に、相手先の受信能力等の情報を受信してテーブルを自動更新することが好ましい。
【００３８】
そして、ＩＮＦＡＸ１は、Ｓ１３にて処理の開始指示を受けると、ＡＤＦ方式の場合は原稿台の原稿を１枚毎に送り出し、Ｓ１２にて入力された読取／符号化条件に基づいて、その原稿を読取部１２に設けたＣＣＤで読み取り、ＭＨ、ＭＲ、又はＭＭＲ等の符号化方式で符号化された画像データを画像メモリ２０に蓄積して記憶する読取／符号化処理（Ｓ１４）を実行する。
【００３９】
一方、ＩＮＦＡＸ１は、前述した読取／符号化処理（Ｓ１４）と並行して、画像メモリ２０にアクセスして、記憶されている原稿の画像データのデータ量を算出し、算出したデータ量が、所定量を超過する都度、画像データを分割する分割処理（Ｓ２１）を実行する。そして、分割された画像データをＴＩＦＦデータに変換する画像変換処理（Ｓ２２）を実行し、更に、ＭＩＭＥ（base64）により、このＴＩＦＦデータ（バイナリデータ）をテキストデータに変換するバイナリ／テキスト変換処理（Ｓ２３）を実行する。
【００４０】
そして、送信データがＴＩＦＦデータであることを示す情報と、ＭＩＭＥ（base64）によりバイナリ／テキスト変換されたことを示す情報を電子メールのヘッダに付与し、更に、Ｓ２３にて変換されたテキストデータを電子メールに付与するメール生成処理（Ｓ２４）を実行する。
【００４１】
そして、外部装置（以下、送信先）との間にＴＣＰのセッションを確立（Ｓ２５）する。そして、ＳＭＴＰにより電子メールを送信するメール送信処理（Ｓ２６）を実行する。そして、送信が完了すると、送信した電子メールをＨＤ２３に記憶するメール記憶処理（Ｓ２７）を実行した後、送信先とのＴＣＰのセッションを切断（Ｓ２８）する。即ち、Ｓ２５が通信接続処理に、Ｓ２８が通信切断処理に夫々相当する。
【００４２】
そして、全ての電子メールが送信されたか否かを判定（Ｓ２９）し、全ての電子メールが送信されていないと判定（Ｓ２９：ＮＯ）された場合には、Ｓ２１へ移行し、Ｓ２１〜Ｓ２９の処理を実行する。一方、全ての電子メールが送信されたと判定（Ｓ２９：ＹＥＳ）された場合には、処理を終了する。
【００４３】
次に、本実施形態のファクシミリ装置の動作タイミングについて説明する。図６は、本発明の実施の形態１に係るファクシミリ装置の動作タイミングの状況を説明する説明図である。横軸は時間の経過を示し、同図（ａ）は読取部１２における読取／符号化処理の状況を、（ｂ）は分割処理の状況を、（ｃ）はメール生成処理の状況を、（ｄ）は通信接続処理の状況を、（ｅ）はメール送信処理の状況を、（ｆ）は通信切断処理の状況を夫々示す。
【００４４】
原稿送信の開始指示を受け付けると、制御部１０は読取部１２の動作を制御し、読取部１２はスキャナによりｎページからなる原稿の第１ページＰ１から順次、ＡＤＦ方式により読み取る読取／符号化処理を、原稿の最終ページである第ｎページＰｎの読み取りが終了するまで実行する（同図（ａ））。同図にて、各ページの読取／符号化処理間の時間は、ＡＤＦ方式による原稿の送り動作に要する時間を示す。
【００４５】
また、読取／符号化処理と並行して、読取／符号化処理にて読み取られた画像データ（符号化データ）のデータ量が予め規定した所定量を超過する都度、画像データを分割し、画像データＰＤ１（ＰＤ２，…，ＰＤｍ）にする分割処理を実行する（同図（ｂ））。同図にて、ＰＤ１，ＰＤ２，…，ＰＤｍは、夫々１番目，２番目，…，ｍ番目に分割された画像データ（分割状況）を示す。
【００４６】
そして、分割処理にて画像データＰＤ１（ＰＤ２，…，ＰＤｍ）に分割された場合に、画像データＰＤ１（ＰＤ２，…，ＰＤｍ）をＴＩＦＦデータに変換する画像変換処理、ＴＩＦＦデータをテキスト変換するバイナリ／テキスト変換処理、並びに、ヘッダの生成及びテキスト変換された画像データを電子メールに添付して電子メールＭ１（Ｍ２，…，Ｍｍ）を生成するメール生成処理を実行する（同図（ｃ））。同図にて、Ｍ１，Ｍ２，…，Ｍｍは、夫々画像データＰＤ１，ＰＤ２，…，ＰＤｍから生成される電子メール（生成状況）を示す。
【００４７】
そして、メール生成処理にて電子メールＭ１（Ｍ２，…，Ｍｍ）が生成された場合に、ＴＣＰにて、ＬＡＮＩＦ１６を介して送信先と通信（接続）を確立する通信接続処理を実行する（同図（ｄ））。送信先との通信（接続）を確立するに際しては、通信を開始する通信開始コマンド（例えば、ＳＭＴＰのＨＥＬＯコマンド）を送信先へ送信する。同図にて、Ｃ１，Ｃ２，…，Ｃｍは、夫々電子メールＭ１，Ｍ２，…，Ｍｍの送信に先立つ通信開始コマンドの送信状況を示す。
【００４８】
そして、通信接続処理にて送信先と接続が確立された場合に、メール生成処理にて生成された電子メールＭ１（Ｍ２，…，Ｍｍ）をＬＡＮ上又はインターネット上に送信するメール送信処理を実行する（同図（ｅ））。同図にて、ＭＭ１，ＭＭ２，…，ＭＭｍは、夫々電子メールＭ１，Ｍ２，…，Ｍｍの送信状況を示す。
【００４９】
更に、メール送信処理にて電子メールＭＭ１（ＭＭ２，…，ＭＭｍ）の送信が夫々終了する毎に、送信先との接続を切断する通信切断処理を実行する（同図（ｆ））。送信先との接続を解除するに際しては、通信を終了する終了コマンド（例えば、ＳＭＴＰのＱＵＩＴコマンド）を送信先へ送信する。同図にて、Ｄ１，Ｄ２，…，Ｄｍは、夫々電子メールＭＭ１，ＭＭ２，…，ＭＭｍの送信後に送信される終了コマンドの送信状況を示す。
【００５０】
ここで、送信された電子メールＭＭ１，ＭＭ２，…，ＭＭｍは、夫々が１つの電子メールであり、外部装置は、各電子メールＭＭ１，ＭＭ２，…，ＭＭｍを別個の電子メールとして受信し、各電子メールＭＭ１，ＭＭ２，…，ＭＭｍに付与されているヘッダ及び本文に基づいて原稿を再構成させる。
【００５１】
従って、原稿から画像データに変換した後に、画像データを分割して各画像データを電子メールで送信する従来のファクシミリ装置と比較すると、本発明に係るファクシミリ装置は、読取／符号化処理と並行して、メール送信のための処理を行うことにより、原稿の読み取りの開始から画像データの送信終了までに要する時間を短縮することができる。
【００５２】
（実施の形態２）
実施の形態１では、ＩＮＦＡＸ１は、各電子メールの送信前に、送信先との間にＴＣＰのセッションを確立し、各電子メールの送信後に、その都度、送信先とのＴＣＰのセッションを切断する場合について説明したが、本実施の形態では、原稿送信の開始指示を受け付けると、ファクシミリ装置は、送信先との間にＴＣＰのセッションを確立し、全ての電子メールの送信が完了するまで、そのＴＣＰのセッションを維持する。
【００５３】
以下、本発明の実施の形態２に係るファクシミリ装置が行う動作を、フローチャートを用いて説明する。図７は、本発明の実施の形態２に係るファクシミリ装置が行う処理手順を示すフローチャートである。
【００５４】
ＩＮＦＡＸ１は、Ｓ１３にて処理の開始指示を受けると、読取／符号化処理（Ｓ１４）と並行して、まず、送信先との間にＴＣＰのセッションを確立（Ｓ２０）する。セッションが確立されると、前述した分割処理（Ｓ２１）、画像変換処理（Ｓ２２）、バイナリ／テキスト変換処理（Ｓ２３）、メール生成処理（Ｓ２４）、メール送信処理（Ｓ２６）、及びメール記憶処理（Ｓ２７）を行う。
【００５５】
そして、全ての電子メールが送信されたか否かを判定（Ｓ２９）し、全ての電子メールが送信されていないと判定（Ｓ２９：ＮＯ）された場合には、そのセッションを維持したまま、Ｓ２１へ移行し、Ｓ２１〜Ｓ２９の処理を実行する。一方、全ての電子メールが送信されたと判定（Ｓ２９：ＹＥＳ）された場合には、そのセッションを切断（Ｓ３０）し、処理を終了する。なお、必要であれば、送信先との接続を維持する接続維持コマンド（例えば、ＳＭＴＰのＮＯＯＰ（NO OPeration）コマンド）を送信先へ送信してセッションを維持する。このように、適宜、接続維持コマンドを送信先に送信して接続を維持することにより、タイムアウト等の送信エラーの発生を防止できる。その他の処理手順は図４と同様であるので、対応する部分には同一の符号を付してその詳細な説明を省略する。
【００５６】
次に、本実施形態に係るファクシミリ装置の動作タイミングについて説明する。図８は、本発明の実施の形態２に係るファクシミリ装置の動作タイミングの状況を説明する説明図である。本実施形態は、同図（ｄ）の通信接続処理の状況、及び（ｆ）の通信切断処理の状況が実施の形態１と相違する。
【００５７】
つまり、メール生成処理にて生成された第１番目の電子メールＭ１が生成された場合にのみ、通信開始コマンドＣを送信し、ＴＣＰにて、ＬＡＮＩＦ１６を介して送信先と接続を確立する通信接続処理を実行する（同図（ｄ））。そして、メール生成処理にて生成された電子メールＭ１（Ｍ２，…，Ｍｍ）を、ＬＡＮ上又はインターネット上に送信するメール送信処理を実行する（同図（ｅ））。更に、メール送信処理にて最後の電子メールＭＭｍの送信が終了した場合にのみ、終了コマンドＤを送信し、送信先との接続を切断する通信切断処理を実行する（同図（ｆ））。つまり、電子メールＭＭ１，ＭＭ２，…，ＭＭｍ−１の送信が終了した場合には、通信切断処理は実行されない。その他の動作タイミングの状況は図６と同様であるので、対応する部分には同一の符号を付してその詳細な説明を省略する。
【００５８】
即ち、本実施形態に係るファクシミリ装置は、まず送信先とのＴＣＰのセッションを確立し、その後に、その他の種々の処理を行い、全ての電子メールを送信するまで、そのセッションを維持する。従って、各電子メールを送信する毎に、送信先へのセッションの確立及び切断を実行する処理手順と比較して、更に、原稿の読み取りの開始から画像データの送信終了までに要する時間を短縮することができる。
【００５９】
なお、各実施形態では、画像データのデータ量が所定量を超過する都度、画像データを分割する場合について説明したが、例えば、図９に示すように、原稿のページ毎に画像データを分割し、分割された各画像データを電子メールに添付して外部装置に送信するようにしてもよい。つまり、読取／符号化処理にて読み取られた画像データ（符号化データ）を、原稿の各ページ毎の画像データＰＤ１（ＰＤ２，…，ＰＤｎ）に分割する分割処理を実行する（同図（ｂ））。同図にて、ＰＤ１，ＰＤ２，…，ＰＤｎは、夫々１番目，２番目，…，ｎ番目に分割された画像データ、即ち、原稿の１ページＰ１，２ページＰ２，…，ｎページＰｎの画像データを示す。その他の動作タイミングの状況は図６と同様であるので、対応する部分には同一の符号を付してその詳細な説明を省略する。
【００６０】
【発明の効果】
以上詳述した如く本発明のファクシミリ装置によれば、原稿を読み取り、読み取った画像データのデータ量が所定量を超過する都度、原稿の読み取りと並行して、読み取った画像データを分割し、分割された各画像データを電子メールで送信することにより、原稿を読み取る処理と、各画像データを電子メールで送信する処理とを並列処理することができるため、原稿の読み取りの開始から画像データの送信終了までに要する時間を短縮することができる。
【００６１】
また本発明のファクシミリ装置によれば、読み取った画像データを分割し、分割された各画像データを各別の電子メールに添付して送信することにより、送信する電子メールの容量を小さくすることができるため、たとえ外部装置が電子メールのデータ量に制限を設けていたとしても、受信を拒絶されることなく、安定して画像データを目的の外部装置に送信することができる。
【００６２】
また本発明のファクシミリ装置によれば、原稿の読み取りが開始された時に、外部装置との通信を確立することにより、原稿を読み取る処理と、外部装置との通信を確立する処理とが並列処理できるため、更に、原稿の読み取りの開始から画像データの送信終了までに要する時間を短縮することができる。
【００６３】
また本発明のファクシミリ装置によれば、電子メールがすべて送信されるまで、外部装置との接続を維持することにより、各電子メールを送信する都度、外部装置との通信を確立する処理が不要となるため、更に、原稿の読み取りの開始から画像データの送信終了までに要する時間を短縮することができる。
【００６４】
更に本発明のファクシミリ装置によれば、記憶手段に電子メールを記憶しておき、外部装置が電子メールを受信したと判断した場合には、その電子メールを記憶手段から消去することにより、記憶手段の空容量を増やすことができる等、優れた効果を奏する。
【図面の簡単な説明】
【図１】本発明に係るファクシミリ装置が接続された態様の通信ネットワーク構成を示す模式図である。
【図２】本発明に係るファクシミリ装置の構成を示すブロック図である。
【図３】電子メールの内容の一例を示す図である。
【図４】本発明の実施の形態１に係るファクシミリ装置が行う処理手順を示すフローチャートである。
【図５】テーブルの内容の一例を示す模式図である。
【図６】本発明の実施の形態１に係るファクシミリ装置の動作タイミングの状況を説明する説明図である。
【図７】本発明の実施の形態２に係るファクシミリ装置が行う処理手順を示すフローチャートである。
【図８】本発明の実施の形態２に係るファクシミリ装置の動作タイミングの状況を説明する説明図である。
【図９】分割処理の他の例におけるファクシミリ装置の動作タイミングの状況を説明する説明図である。
【符号の説明】
１，１Ａ，１Ｂ，１Ｃ，１Ｄ  ファクシミリ装置（ＩＮＦＡＸ）
２Ａ，２Ｂ  パーソナルコンピュータ（ＰＣ）
３Ａ，３Ｂ  メールサーバ（ＭＳ）
４  ルータ
１０  制御部
１１  バス
１２  読取部
１３  記録部
１５  操作部
１６  ＬＡＮインターフェイス（ＬＡＮＩＦ）
１７  表示部
１８  ＲＯＭ
１９  ＲＡＭ
２０  画像メモリ
２１  モデム
２２  回線制御部（ＮＣＵ）
２３  ハードディスク（ＨＤ）
２４  データ変換部
ＩＮ  インターネット
ＬＡＮ  ローカルエリアネットワーク
ＰＳＴＮ  公衆電話回線網
【図１】
2004194005.tif 000003
【図２】
2004194005.tif 000004
【図３】
2004194005.tif 000005
【図４】
2004194005.tif 000006
【図５】
2004194005.tif 000007
【図６】
2004194005.tif 000008
【図７】
2004194005.tif 000009
【図８】
2004194005.tif 000010
【図９】
2004194005.tif 000011